(57)【要約】      （修正有）【課題】磁気共鳴撮像装置において、代謝物質の面積の大小を容易に視認可能な重畳画像を表示し、診断効率を上げる手段を提供する。【解決手段】被検者の撮像部位の撮像によって生成される形態画像を基に、関心領域を設定する関心領域設定部６３と、関心領域における代謝物質毎のスペクトルデータに基づく機能画像を生成する機能画像生成部６４と、形態画像内の関心領域に相当する部分に機能画像を位置合わせして重畳して第１重畳画像を生成する重畳画像生成部６６と、第１重畳画像に対するビュー変更指令に従って第１重畳画像のビュー変更処理を実行して斜視方向のビューの第２重畳画像を生成するビュー変更処理実行部６８と、第２重畳画像に含まれる機能画像内の所要範囲毎の統計量を算出する統計量算出部６９とを有する。また、第２重畳画像に含まれる形態画像に、統計量を棒グラフとして示す棒グラフ画像を重畳して第３重畳画像を表示させる。【選択図】図２
2009207755.tif 000002
【特許請求の範囲】
【請求項１】
被検者の撮像部位の撮像によって生成される形態画像を基に、関心領域を設定する関心領域設定部と、
前記関心領域における代謝物質毎のスペクトルデータに基づく濃度分布を示す濃度分布画像を機能画像として生成する機能画像生成部と、
前記形態画像内の前記関心領域に相当する部分に前記機能画像を位置合わせして重畳することによって第１重畳画像を生成する重畳画像生成部と、
前記第１重畳画像を表示する表示部と、
前記第１重畳画像に対するビュー変更指令に従って前記第１重畳画像のビュー変更処理を実行して、斜視方向のビューの第２重畳画像を生成するビュー変更処理実行部と、
前記第２重畳画像に含まれる機能画像内の所要範囲毎の統計量を算出する統計量算出部と、を有し、
前記重畳画像生成部は、前記第２重畳画像に含まれる形態画像に、前記統計量を棒グラフとして示す棒グラフ画像を位置合わせして重畳することによって第３重畳画像を生成し、前記第３重畳画像を、前記表示部に表示させる構成とすることを特徴とする磁気共鳴撮像装置。
【請求項２】
前記関心領域設定部は、前記形態画像としてのＭＲＩ画像を基に、前記関心領域を設定する構成とすることを特徴とする請求項１に記載の磁気共鳴撮像装置。
【請求項３】
前記機能画像生成部によって複数の前記機能画像が生成される場合、前記複数の機能画像のそれぞれについて、前記機能画像内の所要範囲毎の統計量を算出し、その統計量を棒グラフとして示す棒グラフ画像を生成することで、斜視方向のビューによる前記複数の棒グラフ画像を並べて前記表示部に表示させると共に、前記複数の棒グラフ画像の中から所要の棒グラフ画像を選択することで前記第１重畳画像の生成に供する前記機能画像を設定する機能画像設定部をさらに有することを特徴とする請求項１又は２に記載の磁気共鳴撮像装置。
【請求項４】
前記第３重畳画像に対する前記ビュー変更指令を検出すると、前記ビュー変更処理実行部は、前記第３重畳画像に対する前記ビュー変更指令に従って前記第３重畳画像に含まれる前記棒グラフ画像のビューを傾斜させながら、前記第３重畳画像の前記ビュー変更処理を実行する構成とすることを特徴とする請求項１乃至３のうちいずれか一項に記載の磁気共鳴撮像装置。
【請求項５】
前記統計量算出部及び前記機能画像設定部のうち少なくとも一方は、前記機能画像を構成する画素群に相当するボクセル群毎の前記統計量を算出することを特徴とする請求項１乃至４のうちいずれか一項に記載の磁気共鳴撮像装置。
【請求項６】
前記統計量算出部及び前記機能画像設定部のうち少なくとも一方は、一直線上に存する前記ボクセル群毎の前記統計量を算出する構成とすることを特徴とする請求項５に記載の磁気共鳴撮像装置。
【請求項７】
前記重畳画像生成部及び前記機能画像設定部のうち少なくとも一方は、前記統計量に応じてカラーマッピングされる前記棒グラフ画像を生成する構成とすることを特徴とする請求項１乃至６のうちいずれか一項に記載の磁気共鳴撮像装置。
【請求項８】
前記ビュー変更処理実行部は、前記ビュー変更指令を受けると、前記第１重畳画像のビューを４５°傾ける前記ビュー変更処理を実行する構成とすることを特徴とする請求項１乃至７のうちいずれか一項に記載の磁気共鳴撮像装置。
【発明の詳細な説明】
【技術分野】
【０００１】
本発明は、医用診断装置によって取得されるデータに基づく形態画像の一部分にその部分に対応する機能画像を位置合わせして重畳することによって生成される重畳画像を表示する技術に係り、特に、機能画像を構成する画素に相当するボクセルの統計量を視認可能に表示する臨床アプリケーションを提供する磁気共鳴撮像装置に関する。
【背景技術】
【０００２】
磁気共鳴撮影装置は、静磁場中に置かれた被検体に対し、特定周波数の高周波磁場を照射することにより被検体に含まれる水素等の原子核の核磁化を励起し、被検体から発生する磁気共鳴信号を検出して、物理的・化学的情報を取得することが可能である。現在、磁気共鳴撮影装置で広く普及している磁気共鳴イメージング（ＭＲＩ：ｍａｇｎｅｔｉｃ  ｒｅｓｏｎａｎｃｅ  ｉｍａｇｉｎｇ）では、被検体内の主に水分子に含まれる水素原子核の密度分布を反映したＭＲＩ画像を取得している。
【０００３】
ＭＲＩに対して、水素原子核を含む様々な分子の化学結合の違いによる共鳴周波数の差異（ケミカルシフト）を手掛かりに、分子毎に磁気共鳴信号を分離する方法がある。この方法は磁気共鳴スペクトロスコピー（ＭＲＳ：ｍａｇｎｅｔｉｃ  ｒｅｓｏｎａｎｃｅ  ｓｐｅｃｔｒｏｓｃｏｐｙ）と呼ばれる。
【０００４】
一般に、ＭＲＳの一例として、多数のボクセルのスペクトルを同時に取得し分子毎に画像化を行なう方法を磁気共鳴スペクトロスコピックイメージング（ＭＲＳＩ：ｍａｇｎｅｔｉｃ  ｒｅｓｏｎａｎｃｅ  ｓｐｅｃｔｒｏｓｃｏｐｉｃ  ｉｍａｇｉｎｇ）が挙げられる。このＭＲＳＩを用いて生成されるＭＲＳ画像によると、関心領域内のＮＡＡ（Ｎ−アセチルアスパルテート）等の代謝物質毎の濃度分布を視覚的に捉えることが可能となる。ここで、ＭＲＳ画像を構成する各画素が各ボクセルの統計量を示す画素値を有しているので、ＭＲＳ画像は、構成される各画素の画素値がＬＵＴ（ｌｏｏｋ  ｕｐ  ｔａｂｌｅ）によってＬＵＴ変換されることで統計量の大小をカラー表示している。形態画像上の関心領域にＭＲＳ画像が重畳される重畳画像によると、読影者は、代謝物質の面積の大小を視認することができる。
【０００５】
重畳画像を生成する際、まず、形態画像としてのＭＲＩ画像上で関心領域を設定してＭＲＳを実行し、その関心領域におけるＭＲＳ画像を生成する。関心領域の位置決めを行なう際、設定される関心領域が脂肪組織を多く含む部分をできるだけ含まないようにすることで、重畳画像上で水及び脂肪以外の代謝物質を視覚的に明確に捉えることを目的とした技術が開示されている（例えば、特許文献１参照。）。
【０００６】
また、数値データを表示する際に、スケールと表示画面の目盛を固定したままで、全ての統計結果に対応した棒グラフ表示を行なう技術が開示されている（例えば、特許文献２参照。）。
【特許文献１】特開２００１−１８７０３８号公報
【特許文献２】特開平４−３７２０７８号公報
【発明の開示】
【発明が解決しようとする課題】
【０００７】
しかしながら、特許文献１によると、重畳画像に含まれるＭＲＳ画像のカラーがＬＵＴに依存しているため、ＬＵＴが変わったときに読影者がそのＬＵＴを見慣れないと、ＭＲＳ画像上の代謝物質の面積の大小を即座に判断することが困難である。
【０００８】
本発明は、このような事情を考慮してなされたもので、代謝物質の面積の大小を容易に視認可能な重畳画像を表示することで、診断効率を上げることができる医用画像撮像装置を提供することを目的とする。
【課題を解決するための手段】
【０００９】
本発明に係る医用画像撮像装置は、上述した課題を解決するために、被検者の撮像部位の撮像によって生成される形態画像を基に、関心領域を設定する関心領域設定部と、前記関心領域における代謝物質毎のスペクトルデータに基づく濃度分布を示す濃度分布画像を機能画像として生成する機能画像生成部と、前記形態画像内の前記関心領域に相当する部分に前記機能画像を位置合わせして重畳することによって第１重畳画像を生成する重畳画像生成部と、前記第１重畳画像を表示する表示部と、前記第１重畳画像に対するビュー変更指令に従って前記第１重畳画像のビュー変更処理を実行して、斜視方向のビューの第２重畳画像を生成するビュー変更処理実行部と、前記第２重畳画像に含まれる機能画像内の所要範囲毎の統計量を算出する統計量算出部と、を有し、前記重畳画像生成部は、前記第２重畳画像に含まれる形態画像に、前記統計量を棒グラフとして示す棒グラフ画像を位置合わせして重畳することによって第３重畳画像を生成し、前記第３重畳画像を、前記表示部に表示させる構成とする。
【発明の効果】
【００１０】
本発明に係る磁気共鳴撮像装置によると、代謝物質の面積の大小を容易に視認可能な重畳画像を表示することで、診断効率を上げることができる。
【発明を実施するための最良の形態】
【００１１】
本発明に係る磁気共鳴撮像装置の実施形態について、添付図面を参照して説明する。
【００１２】
図１は、本実施形態の磁気共鳴撮像装置のハードウェア構成を示す概略図である。
【００１３】
図１は、本実施形態の磁気共鳴撮像装置１０を示す。この磁気共鳴撮像装置１０は、大きくは、撮像系１１と制御系１２とから構成される。
【００１４】
磁気共鳴撮像装置１０の撮像系１１には、架台（図示しない）が備えられ、その架台内に、静磁場磁石２１と、この静磁場磁石２１の内部であって静磁場磁石２１と同軸上に筒状のシムコイル２２と、静磁場磁石２１の内部で筒状に形成される傾斜磁場コイルユニット２３とを収容する。また、撮像系１１には、ＲＦコイル２４と、被検者Ｐを架台内に進退させる寝台機構２５とが設けられる。
【００１５】
一方、磁気共鳴撮像装置１０の制御系１２には、静磁場電源３１、傾斜磁場電源３３、シムコイル電源３２、送信器３４、受信器３５、シーケンスコントローラ（シーケンサ）３６及びコンピュータ３７が設けられる。
【００１６】
静磁場磁石２１は、静磁場電源３１と接続される。静磁場電源３１から供給された電流によって撮像領域（ＦＯＶ：ｆｉｅｌｄ  ｏｆ  ｖｉｅｗ）に静磁場を形成させる。
【００１７】
シムコイル２２はシムコイル電源３２と接続され、シムコイル電源３２からシムコイル２２に電流を供給して、静磁場を均一化する。
【００１８】
傾斜磁場コイルユニット２３は、Ｘ軸傾斜磁場コイル２３ｘ、Ｙ軸傾斜磁場コイル２３ｙ及びＺ軸傾斜磁場コイル２３ｚによって構成される。また、傾斜磁場コイルユニット２３の内側には寝台機構２５の天板２６が設けられ、その天板２６には被検者Ｐが載置される。天板２６は、寝台機構２５によって移動させられる。
【００１９】
また、傾斜磁場コイルユニット２３は、傾斜磁場電源３３と接続される。傾斜磁場コイルユニット２３のＸ軸傾斜磁場コイル２３ｘ、Ｙ軸傾斜磁場コイル２３ｙ及びＺ軸傾斜磁場コイル２３ｚはそれぞれ、傾斜磁場電源３３のＸ軸傾斜磁場電源３３ｘ、Ｙ軸傾斜磁場電源３３ｙ及びＺ軸傾斜磁場電源３３ｚとそれぞれ接続される。
【００２０】
そして、Ｘ軸傾斜磁場電源３３ｘ、Ｙ軸傾斜磁場電源３３ｙ及びＺ軸傾斜磁場電源３３ｚからそれぞれＸ軸傾斜磁場コイル２３ｘ、Ｙ軸傾斜磁場コイル２３ｙ及びＺ軸傾斜磁場コイル２３ｚに供給された電流により、撮像領域にそれぞれＸ軸方向の傾斜磁場Ｇｘ、Ｙ軸方向の傾斜磁場Ｇｙ、Ｚ軸方向の傾斜磁場Ｇｚを形成する。
【００２１】
ＲＦコイル２４はマルチコイルによって構成され、送信器３４及び受信器３５と接続される。ＲＦコイル２４は、送信器３４から高周波信号を受けて被検者Ｐの撮像部位（被検体）にラーモア周波数（共鳴周波数）の高周波（ＲＦ：ｒａｄｉｏ  ｆｒｅｑｕｅｎｃｙ）信号を送信する機能と、撮像部位内部の原子核スピンの高周波信号による励起に伴って発生したＮＭＲ（ｎｕｃｌｅａｒ  ｍａｇｎｅｔｉｃ  ｒｅｓｏｎａｎｃｅ）信号を受信して受信器３５に与える機能を有する。なお、ＲＦコイル２４の送受方式としては、送信コイルと受信コイルとを１つのコイルで兼用する方式の他、送信コイルと受信コイルに別々のコイルを用いる方式も存在する。そして、図１に示す磁気共鳴撮像装置１０では、ＲＦコイル２４の一例として送信コイルと受信コイルとを１つのコイルで兼用する方式である頭部用コイルを例示している。
【００２２】
一方、制御系１２のシーケンスコントローラ３６は、寝台機構２５、傾斜磁場電源３３、送信器３４及び受信器３５と接続される。シーケンスコントローラ３６は、図示しないプロセッサ、例えばＣＰＵ（ｃｅｎｔｒａｌ  ｐｒｏｃｅｓｓｉｎｇ  ｕｎｉｔ）及びメモリを備えており、寝台機構２５、傾斜磁場電源３３、送信器３４及び受信器３５を駆動させるために必要な制御情報、例えば傾斜磁場電源３３に印加すべきパルス電流の強度や印加時間、印加タイミング等の動作制御情報を記述したシーケンス情報を記憶する。
【００２３】
また、シーケンスコントローラ３６は、記憶した所定のシーケンスに従って寝台機構２５を駆動させることによって、天板２６を架台に対してＺ軸方向に進退させる。さらに、シーケンスコントローラ３６は、記憶した所定のシーケンスに従って傾斜磁場電源３３、送信器３４及び受信器３５を駆動させることによって、架台内にＸ軸傾斜磁場Ｇｘ、Ｙ軸傾斜磁場Ｇｙ，Ｚ軸傾斜磁場Ｇｚ及びＲＦ信号を発生させる。
【００２４】
送信器３４は、シーケンスコントローラ３６から受けた制御情報に基づいてＲＦ信号をＲＦコイル２４に与える。一方、受信器３０は、ＲＦコイル２４から受けたＮＭＲ信号に所要の信号処理を実行すると共にＡ／Ｄ（ａｎａｌｏｇ  ｔｏ  ｄｉｇｉｔａｌ）変換することにより、受信器３５からデジタル化されたＮＭＲ信号である生データ（ｒａｗ  ｄａｔａ）を生成する。また、生成した生データをシーケンスコントローラ３６に与える。シーケンスコントローラ３６は、受信器３５からの生データを受けてコンピュータ３７に与える。
【００２５】
コンピュータ３７は、制御装置としてのＣＰＵ５１、メモリ５２、ＨＤ（ｈａｒｄ  ｄｉｓｋ）５３、ＩＦ（ｉｎｔｅｒｆａｃｅ）５４、表示装置５５及び入力装置５６等、コンピュータとしての基本的なハードウェアから構成される。ＣＰＵ５１は、共通信号伝送路としてのバスＢを介して、コンピュータ３７を構成する各ハードウェア構成要素５２乃至５６に相互接続されている。また、コンピュータ３７は、ＩＦ５４を介して病院基幹のＬＡＮ（ｌｏｃａｌ  ａｒｅａ  ｎｅｔｗｏｒｋ）等のネットワークＮに相互通信可能に接続される。
【００２６】
なお、コンピュータ３７には、各種アプリケーションプログラムやデータを記憶したメディアから各種アプリケーションプログラムやデータを読み込むドライブを具備する場合もある。
【００２７】
ＣＰＵ５１は、半導体で構成された電子回路が複数の端子を持つパッケージに封入されている集積回路（ＬＳＩ）の構成をもつ制御装置である。ＣＰＵ５１は、メモリ５２に記憶しているプログラムを実行する。又は、ＣＰＵ５１は、ＨＤ５３に記憶しているプログラム、ネットワークＮから転送されＩＦ５４で受信されてＨＤ５３にインストールされたプログラム等を、メモリ５２にロードして実行する機能を有する。
【００２８】
メモリ５２は、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等の要素を兼ね備える構成をもつ記憶装置である。メモリ５２は、ＩＰＬ（ｉｎｉｔｉａｌ  ｐｒｏｇｒａｍ  ｌｏａｄｉｎｇ）、ＢＩＯＳ（ｂａｓｉｃ  ｉｎｐｕｔ／ｏｕｔｐｕｔ  ｓｙｓｔｅｍ）及びＬＵＴ等のデータを記憶したり、ＣＰＵ５１のワークメモリやデータの一時的な記憶に用いたりする機能を有する。
【００２９】
ＨＤ５３は、磁性体を塗布又は蒸着した金属のディスクが読み取り装置（図示しない）に着脱不能で内蔵されている構成をもつ記憶装置である。ＨＤ５３は、医用情報管理装置１１にインストールされたプログラム（アプリケーションプログラムの他、ＯＳ（ｏｐｅｒａｔｉｎｇ  ｓｙｓｔｅｍ）等も含まれる）を記憶したり、ＭＲＩ画像等の形態画像のデータを記憶したりする機能を有する。また、ＯＳに、ユーザに対する情報の表示にグラフィックを多用し、基礎的な操作を入力装置５６によって行なうことができるＧＵＩ（ｇｒａｐｈｉｃａｌ  ｕｓｅｒ  ｉｎｔｅｒｆａｃｅ）を提供させることもできる。
【００３０】
ＩＦ５４は、パラレル接続仕様やシリアル接続仕様に合わせたコネクタによって構成される。ＩＦ５４は、各規格に応じた通信制御を行ない、電話回線を通じてネットワークＮに接続することができる機能を有しており、これにより、磁気共鳴撮像装置１０をネットワークＮ網に接続させる。
【００３１】
表示装置５５は、図２に示すＲＧＢ（ｒｅｄ  ｇｒｅｅｎ  ｂｌｕｅ）変換回路５５ａ及び２次元のディスプレイ５５ｂ等によって構成される。表示装置５５は、ディスプレイ５５ｂを介してＭＲＩ画像や重畳画像をそのパラメータ情報と共に表示する機能を有する。
【００３２】
入力装置５６は、操作者によって操作が可能なキーボード及びマウス等によって構成される。入力装置５６の操作に従った入力信号はバスＢを介してＣＰＵ５１に送られる。
【００３３】
図２は、本実施形態の磁気共鳴撮像装置１０の機能を示すブロック図である。
【００３４】
図１に示すＣＰＵ５１（又はシーケンスコントローラ３６のＣＰＵ）がプログラムを実行することによって、図２に示すように、ＭＲＩ画像生成部６１、形態画像取得部６２、関心領域設定部６３、ＭＲＳ画像生成部６４、ＭＲＳ画像設定部６５、重畳画像生成部６６、ビュー変更指令検出部６７、ビュー変更処理実行部６８及び統計量算出部６９として機能する。なお、本実施形態では、ＭＲＩ装置１０の構成要素６１乃至６９をソフトウェアとして機能させる場合を例にとって説明するがその場合に限定されるものではない。構成要素６１乃至６９の全部又は一部をＭＲＩ装置１０にハードウェアとして設ける場合であってもよい。
【００３５】
ＭＲＩ画像生成部６１は、ＭＲＩ画像生成用のシーケンスに従ってシーケンスコントローラを制御して被検者の撮像部位のＭＲＩを行なうことで受信器３５によって形成される生データをｋ空間（周波数）に配置し、ｋ空間に配置されるｋ空間データを基に形態画像としてのＭＲＩ画像を再構成する機能を有する。ＭＲＩ画像生成部６１は、ｋ空間データを実空間画像に再構成するための２次元又は３次元のフーリエ変換処理を行なう。ＭＲＩ画像生成部６１によってＭＲＩ画像を生成する場合、シーケンスコントローラ３６の制御によって、Ｘ軸傾斜磁場コイル２３ｘ、Ｙ軸傾斜磁場コイル２３ｙ及びＺ軸傾斜磁場コイル２３ｚは、スライス方向傾斜磁場、位相エンコード方向傾斜磁場及び周波数（読み出し）エンコード方向傾斜磁場の発生に用いられる。なお、ＭＲＩ画像生成部６１によって生成されるＭＲＩ画像は、ＨＤ５３等の記憶装置に記録される。
【００３６】
形態画像取得部６２は、一検査内で形態画像収集に引き続き機能画像収集を行なう場合、ＭＲＩ画像生成部６１によって取得されて記憶装置に記憶されるＭＲＩ画像を取得する機能を有する。また、過去の検査で収集された形態画像を基に本検査で機能画像収集を行なう場合、過去にＭＲＩ画像生成部６１によって取得されて記憶装置に記憶されるＭＲＩ画像、ＩＦ５４を介して取得されて記憶装置に記憶されるＭＲＩ画像、及び、ＩＦ５４を介して取得されて記憶装置に記憶されるＸ線ＣＴ（ｃｏｍｐｕｔｅｒｉｚｅｄ  ｔｏｍｏｇｒａｐｈｙ）画像等の形態画像を取得する機能を有する。以下、形態画像をＭＲＩ画像とする場合について説明する。
【００３７】
関心領域設定部６３は、形態画像取得部６２によって取得されるＭＲＩ画像を表示装置５５のディスプレイ５５ｂに表示させ、表示されるＭＲＩ画像を基に、関心領域（ＲＯＩ：ｒｅｇｉｏｎ  ｏｆ  ｉｎｔｅｒｅｓｔ）を設定する機能を有する。操作者がディスプレイ５５ｂに表示されるＭＲＩ画像を見ながら関心領域を入力することで、関心領域設定部６３は関心領域を設定する。
【００３８】
図３は、関心領域の設定画面の表示例を示す図である。
【００３９】
図３は、表示装置５５のディスプレイ５５ｂに表示されるＭＲＩ画像上に、関心領域Ｒが表示される表示画面を示すものである。ボクセルのＭＲ信号の強度を表現するための画素に画素値が与えられて生成されるＭＲＩ画像は、表示装置５５のＲＧＢ変換回路５５ａを介して画素値が輝度値に変換されることでディスプレイ５５ｂに表示される。操作者は、ディスプレイ５５ｂに表示されるＭＲＩ画像を見ながら、入力装置５６を用いて四角形の関心領域Ｒを操作する。
【００４０】
さらに、図２に示すＭＲＳ画像生成部６４は、機能画像としてのＭＲＳ画像生成用のシーケンスに従ってシーケンスコントローラを制御して関心領域設定部６３によって設定される関心領域に関するＭＲＳを行なって、代謝物質毎のスペクトルデータに基づく濃度（化学シフト（ＣＳＩ：ｃｈｅｍｉｃａｌ  ｓｈｉｆｔ  ｉｍａｇｉｎｇ）量）分布を示す濃度分布画像をＭＲＳ画像として生成する機能を有する。特に、ＭＲＩＳにおいて、ＭＲＳ画像生成部６４は、多数のボクセル毎のＭＲスペクトルを同時に取得することができる。ＭＲＳ画像生成部６４によってＭＲＳ画像を生成する場合、シーケンスコントローラ３６の制御によって、Ｘ軸傾斜磁場コイル２３ｘ、Ｙ軸傾斜磁場コイル２３ｙ及びＺ軸傾斜磁場コイル２３ｚに供給されるパルス電流が制御され、３軸方向の傾斜磁場を合成して、Ｚ軸方向に沿ったスライス用傾斜磁場、Ｘ軸方向に沿った第１位相エンコード用傾斜磁場、Ｙ軸方向に沿った第２位相エンコード用傾斜磁場の各方向を設定する。
【００４１】
ＭＲＳ画像設定部６５は、ＭＲＳ画像生成部６４によって複数のＭＲＳ画像が生成される場合、複数のＭＲＳ画像のそれぞれについて、ＭＲＳ画像内の所要範囲毎の統計量を算出し、その統計量を棒グラフとして示す棒グラフ画像を生成することで、斜視方向のビューによる複数の棒グラフ画像を並べて表示装置５５のディスプレイ５５ｂに表示させると共に、斜視方向のビューによって表示される複数の棒グラフ画像の中から所要の棒グラフ画像を選択することで第１重畳画像の生成に供するＭＲＳ画像を設定する機能を有する。
【００４２】
図４は、ＭＲＳ画像の選択画面の第１の表示例を示す図である。
【００４３】
図４は、４枚のスライスのＭＲＳ画像を基に生成される棒グラフ画像が斜視方向のビューによって表示されるＭＲＳ画像の選択画面の第１例を示している。図４に示す選択画面の第１例では、ＭＲＳ画像を構成する画素群に相当するボクセル群毎の統計量を算出することによって生成される棒グラフ画像が、斜視方向のビューによって表示されている。なお、図４に示す斜視方向のビューの棒グラフ画像は、表示装置５５のＲＧＢ変換回路５５ａがＬＵＴを参照することで、その統計量に応じてカラーマッピングされるものであってもよい。操作者は、図４に示す選択画面を見ながら、所要の棒グラフ画像を選択する。
【００４４】
図５は、ＭＲＳ画像の選択画面の第２の表示例を示す図である。
【００４５】
図５は、４枚のスライスのＭＲＳ画像を基に生成される棒グラフ画像が斜視方向のビューによって表示されるＭＲＳ画像の選択画面の第２例を示している。図５に示す選択画面の第２例では、ＭＲＳ画像を構成する一直線（ライン）上の画素群に相当するボクセル群毎の統計量を算出することによって生成される棒グラフ画像が、斜視方向のビューによって表示されている。なお、図５に示す斜視方向のビューの棒グラフ画像は、表示装置５５のＲＧＢ変換回路５５ａがＬＵＴを参照することで、その統計量に応じてカラーマッピングされるものであってもよい。操作者は、図５に示す選択画面を見ながら、所要の棒グラフ画像を選択する。
【００４６】
また、図２に示す重畳画像生成部６６は、形態画像取得部６２によって取得されるＭＲＩ画像内の関心領域に相当する部分にＭＲＳ画像を位置合わせして重畳することによって第１重畳画像を生成する機能を有する。表示装置５５のＲＧＢ変換路５５ａがＬＵＴを参照することで第１重畳画像に含まれるＭＲＳ画像の部分がカラー表示される第１重畳画像は、ディスプレイ５５ｂに表示される。
【００４７】
図６は、第１重畳画像の表示例を示す図である。
【００４８】
図６に示すように、形態画像取得部６２によって取得されるＭＲＩ画像内の関心領域に相当する部分に、ＭＲＳ画像生成部６４によって生成されるＮＡＡの濃度分布を示すＭＲＳ画像がカラーマッピングされて重畳されて表示されている。なお、第１重畳画像は、カラーバーと共に表示されている。
【００４９】
さらに、図２に示すビュー変更指令検出部６７は、重畳画像生成部６６によって生成される第１重畳画像に対するビュー変更指令を入力装置５６から検出する機能を有する。
【００５０】
ビュー変更処理実行部６８は、ビュー変更指令検出部６７によって検出される変更指令に従って第１重畳画像のビュー変更処理を実行して、斜視方向のビューの第２重畳画像を生成する機能を有する。ここで、ビュー変更処理実行部６８は、ビュー変更指令検出部６７からビュー変更指令を受けると、統計量算出部６９によって算出される統計量の視認を容易にするために、重畳画像生成部６６によって生成される第１重畳画像のビューを自動的に４５°傾けるビュー変更処理を実行することが好適である。
【００５１】
統計量算出部６９は、ビュー変更処理実行部６８によって生成される第２重畳画像に含まれるＭＲＳ画像内の所要範囲毎の統計量を算出する機能を有する。ここで、統計量算出部６９は、第２重畳画像に含まれるＭＲＳ画像を構成する画素群に相当するボクセル群毎の統計量を算出することができる。また、統計量算出部６９は、一直線上に存する画素群に相当するボクセル群毎の統計量を算出するができる。
【００５２】
統計量算出部６９によって統計量が算出されると、重畳画像生成部６６は、ビュー変更処理実行部６８によって生成される第２重畳画像に含まれるＭＲＩ画像に、統計量算出部６９によって算出される統計量を棒グラフとして示す棒グラフ画像を位置合わせして重畳することによって第３重畳画像を生成し、その第３重畳画像を、表示装置５５のディスプレイ５５ｂに表示させる。
【００５３】
図７は、第３重畳画像の表示例を示す図である。
【００５４】
図７に示すように、ビュー変更処理生成部６８によってビュー変更処理された第２重畳画像に含まれるＭＲＩ画像Ｉ１内の関心領域に相当する部分に、同じく第２重畳画像に含まれるＮＡＡの濃度分布を示す棒グラフ画像Ｉ２が重畳されて生成される第３重畳画像Ｉが表示されている。なお、図７に示す斜視方向のビューの棒グラフ画像Ｉ２は、表示装置５５のＲＧＢ変換回路５５ａがＬＵＴを参照することで、その統計量に応じてカラーマッピングされるものであってもよい。
【００５５】
なお、図２に示すビュー変更指令検出部６７が第３重畳画像に対するビュー変更指令を検出すると、変更処理実行部６８は、第３重畳画像に対するビュー変更指令に従って第３重畳画像に含まれる棒グラフ画像のビューを傾斜させながら、第３重畳画像のビュー変更処理を実行する。
【００５６】
本実施形態の磁気共鳴撮像装置１０によると、重畳画像に対するビュー変更指令を検出すると、重畳画像に統計量に応じた棒グラフ画像を重畳することで、ＬＵＴの違いに因らないで代謝物質の面積の大小を容易に視認可能な重畳画像を表示でき、診断効率を上げることができる。
【図面の簡単な説明】
【００５７】
【図１】本実施形態の磁気共鳴撮像装置のハードウェア構成を示す概略図。
【図２】本実施形態の磁気共鳴撮像装置の機能を示すブロック図。
【図３】関心領域の設定画面の表示例を示す図。
【図４】ＭＲＳ画像の選択画面の第１の表示例を示す図。
【図５】ＭＲＳ画像の選択画面の第２の表示例を示す図。
【図６】第１重畳画像の表示例を示す図。
【図７】第３重畳画像の表示例を示す図。
【符号の説明】
【００５８】
１０  磁気共鳴撮像装置
１１  撮像系
１２  制御系
３６  シーケンスコントローラ
３７  コンピュータ
５１  ＣＰＵ
５２  メモリ
５３  ＨＤ
５５  表示装置
５５ａ  ＲＧＢ変換回路
５６  入力装置
６１  ＭＲＩ画像生成部
６２  形態画像取得部
６３  関心領域設定部
６４  ＭＲＳ画像生成部
６５  ＭＲＳ画像設定部
６６  重畳画像生成部
６７  ビュー変更指令検出部
６８  ビュー変更処理実行部
６９  統計量算出部
【図１】
2009207755.tif 000003
【図２】
2009207755.tif 000004
【図３】
2009207755.tif 000005
【図４】
2009207755.tif 000006
【図５】
2009207755.tif 000007
【図６】
2009207755.tif 000008
【図７】
2009207755.tif 000009